(57)【要約】【課題】運転者が表示装置に表示された領域の変化を確認できること。【解決手段】制御装置は、車両に設けられるウインカレバーの操作を検知する検知部と、車両に設けられた撮影装置によって撮影された映像に映像処理を行い、車両に設けられた表示装置に表示させる処理部と、を備える。処理部は、検知部がウインカレバーの左または右への操作を検知した場合、操作の方向に対応する表示装置に表示する視野範囲の領域を、操作の方向の後方の第１の領域から、第１の領域に隣接して側後方に位置する第３の領域を含む第２の領域へ切り替える切替処理を実行し、処理部は、切替処理が実行されていることを車両の運転者に知らせる第１の提示処理を実行する。【選択図】図１
2020111082.tif 000002
【特許請求の範囲】
【請求項１】
車両に設けられるウインカレバーの操作を検知する検知部と、
前記車両に設けられた撮影装置によって撮影された映像に映像処理を行い、前記車両に設けられた表示装置に表示させる処理部と、
を備え、
前記処理部は、前記検知部が、前記ウインカレバーの左または右への操作を検知した場合、前記操作の方向に対応する表示装置に表示する視野範囲の領域を、前記操作の方向の後方の第１の領域から、前記第１の領域に隣接して側後方に位置する第３の領域を含む第２の領域へ切り替える切替処理を実行し、
前記処理部は、前記切替処理が実行されていることを前記車両の運転者に知らせる第１の提示処理を実行する、
制御装置。
【請求項２】
前記第１の提示処理は、前記表示装置の前記第１の領域の表示の態様と前記第３の領域の表示の態様とを異ならせる処理を含む、
請求項１に記載の制御装置。
【請求項３】
前記表示の態様を異ならせる処理は、前記表示装置の前記第１の領域の視認性を前記第３の領域の視認性よりも低下させる処理を含む、
請求項２に記載の制御装置。
【請求項４】
前記第１の提示処理は、前記表示の態様を異ならせる境界を前記表示装置の表示領域の外周に向かって動的に変化させる動的エフェクト処理を含む、
請求項２または３に記載の制御装置。
【請求項５】
前記第１の提示処理は、前記動的エフェクトを繰り返す周期を、前記ウインカレバーの操作に応じて作動する方向指示表示の周期と同期させる、
請求項４に記載の制御装置。
【請求項６】
前記第１の提示処理は、前記第３の領域に透過性の帯を重畳表示する処理を含む、
請求項１に記載の制御装置。
【請求項７】
前記第１の提示処理は、前記透過性の帯を前記表示装置の表示領域の外周に向かって小さくする動的エフェクト処理を含む、
請求項６に記載の制御装置。
【請求項８】
前記第１の提示処理は、前記第１の領域と前記第３の領域の境界部に線または透過性の帯を重畳表示し、前記線または透過性の帯を前記表示装置の表示領域の外周に向かって移動する動的エフェクト処理を含む、
請求項１に記載の制御装置。
【請求項９】
前記処理部は、前記切替処理を実行してから所定時間経過した場合、前記第１の提示処理を停止、または、前記第１の提示処理を表示の態様が異なる第２の提示処理へ変更し、
前記第２の提示処理は、前記第１の提示処理よりも視覚刺激の程度が低い、
請求項１に記載の制御装置。
【請求項１０】
前記検知部は、車室内における運転者の視線を検知し、
前記処理部は、前記視線が前記操作の方向に対応する表示装置の方向に向けられたことを前記検知部が検知した場合、前記第１の提示処理を停止、または、前記第１の提示処理を表示の態様が異なる第２の提示処理へ変更し、
前記第２の提示処理は、前記第１の提示処理よりも視覚刺激の程度が低い前記運転者に与える刺激が弱い、
請求項１に記載の制御装置。
【請求項１１】
車両に設けられる撮影装置と、
前記車両に設けられる表示装置と、
前記車両に設けられ、前記車両の運転者のウインカ作動についての操作を受けつけるウインカレバーと、
制御装置と、
を備え、
前記制御装置は、
前記ウインカレバーの操作を検知する検知部と、
前記撮影装置によって撮影された映像に映像処理を行い、前記表示装置に表示させる処理部と、
を備え、
前記処理部は、前記検知部が、前記ウインカレバーの左または右への操作を検知した場合、前記操作の方向に対応する表示装置に表示する視野範囲の領域を、前記操作の方向の後方の第１の領域から、前記第１の領域に隣接して側後方に位置する第３の領域を含む第２の領域へ切り替える切替処理を実行し、
前記処理部は、前記切替処理が実行されていることを前記車両の運転者に知らせる第１の提示処理を実行する、
制御システム。
【請求項１２】
車両に設けられるウインカレバーの操作を検知し、
前記車両に設けられた撮影装置によって撮影された映像に映像処理を行い、前記車両に設けられた表示装置に表示させる、
制御方法であって、
前記ウインカレバーの左または右への操作が検知された場合、前記操作の方向に対応する表示装置に表示する視野範囲の領域を、前記操作の方向の後方の第１の領域から、前記第１の領域に隣接して側後方に位置する第３の領域を含む第２の領域へ切り替える切替処理を実行し、
前記切替処理が実行されていることを前記車両の運転者に知らせる第１の提示処理を実行する、
制御方法。
【発明の詳細な説明】
【技術分野】
【０００１】
本開示は、制御装置、制御システム、および、制御方法に関する。
【背景技術】
【０００２】
近年、ＣＣＤカメラ等の撮像装置によって撮像された車両の周辺の画像を液晶ディスプレイ等の表示装置に表示させるシステムにおいて、表示装置に表示させる領域（例えば、視野範囲）を変化させることによって運転者の運転操作を支援することが検討されている（例えば、特許文献１）。
【先行技術文献】
【特許文献】
【０００３】
【特許文献１】特開２００６−１３１２１３号公報
【発明の概要】
【発明が解決しようとする課題】
【０００４】
しかしながら、運転者が表示装置に表示された領域の変化を確認できないことがある。
【０００５】
本開示の非限定的な実施例は、運転者が表示装置に表示された領域の変化を確認できる制御装置、制御システム、および、制御方法の提供に資する。
【課題を解決するための手段】
【０００６】
本開示の一態様に係る制御装置は、車両に設けられるウインカレバーの操作を検知する検知部と、前記車両に設けられた撮影装置によって撮影された映像に映像処理を行い、前記車両に設けられた表示装置に表示させる処理部と、を備え、前記処理部は、前記検知部が、前記ウインカレバーの左または右への操作を検知した場合、前記操作の方向に対応する表示装置に表示する視野範囲の領域を、前記操作の方向の後方の第１の領域から、前記第１の領域に隣接して側後方に位置する第３の領域を含む第２の領域へ切り替える切替処理を実行し、前記処理部は、前記切替処理が実行されていることを前記車両の運転者に知らせる第１の提示処理を実行する。
【０００７】
本開示の一態様に係る制御システムは、車両に設けられる撮影装置と、前記車両に設けられる表示装置と、前記車両に設けられ、前記車両の運転者のウインカ作動についての操作を受けつけるウインカレバーと、制御装置と、を備え、前記制御装置は、前記ウインカレバーの操作を検知する検知部と、前記撮影装置によって撮影された映像に映像処理を行い、前記表示装置に表示させる処理部と、を備え、前記処理部は、前記検知部が、前記ウインカレバーの左または右への操作を検知した場合、前記操作の方向に対応する表示装置に表示する視野範囲の領域を、前記操作の方向の後方の第１の領域から、前記第１の領域に隣接して側後方に位置する第３の領域を含む第２の領域へ切り替える切替処理を実行し、前記処理部は、前記切替処理が実行されていることを前記車両の運転者に知らせる第１の提示処理を実行する。
【０００８】
本開示の一態様に係る制御方法は、車両に設けられるウインカレバーの操作を検知し、前記車両に設けられた撮影装置によって撮影された映像に映像処理を行い、前記車両に設けられた表示装置に表示させる、制御方法であって、前記ウインカレバーの左または右への操作が検知された場合、前記操作の方向に対応する表示装置に表示する視野範囲の領域を、前記操作の方向の後方の第１の領域から、前記第１の領域に隣接して側後方に位置する第３の領域を含む第２の領域へ切り替える切替処理を実行し、前記切替処理が実行されていることを前記車両の運転者に知らせる第１の提示処理を実行する。
【０００９】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１０】
本開示の一態様によれば、運転者が表示装置に表示された領域の変化を確認できる。
【００１１】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１２】
【図１】本開示の一実施の形態に係る制御システムの構成例を示すブロック図
【図２Ａ】本開示の一実施の形態における視野範囲拡大処理の一例を示す図
【図２Ｂ】本開示の一実施の形態における視野範囲拡大処理の一例を示す図
【図３Ａ】本開示の一実施の形態における視線誘導処理の第１の例を示す図
【図３Ｂ】本開示の一実施の形態における視線誘導処理の第２の例を示す図
【図３Ｃ】本開示の一実施の形態における視線誘導処理の第３の例を示す図
【図３Ｄ】本開示の一実施の形態における視線誘導処理の第４の例を示す図
【図４】本開示の一実施の形態における視線誘導処理の第５の例を示す図
【図５】本開示の一実施の形態における視線誘導処理の第６の例を示す図
【図６】本開示の一実施の形態における視線誘導処理のアニメーションの第１の例を示す図
【図７】本開示の一実施の形態における視線誘導処理のアニメーションの第２の例を示す図
【図８】本開示の一実施の形態における視線誘導処理のアニメーションの第３の例を示す図
【図９】本開示の一実施の形態におけるエフェクトの組み合わせの例を示す図
【図１０】本開示の一実施の形態におけるウインカレバーの構造の一例を示す図
【図１１】本開示の一実施の形態におけるウインカレバーの操作と右サイドディスプレイの表示との関係の一例を示す図
【図１２】車両が合流地点付近を走行中の場合の視野範囲の変更の一例を示す図
【図１３】道路の合流地点における右サイドカメラが撮影した映像の一例を示す図
【図１４】本開示の一実施の形態におけるウインカレバーの操作に応じた表示処理の一例を示すフローチャート
【発明を実施するための形態】
【００１３】
以下に添付図面を参照しながら、本開示の好適な実施形態について詳細に説明する。尚、本明細書及び図面において、実質的に同一の機能を有する構成要素については、同一の符号を付することにより重複説明を省略する。
【００１４】
（一実施の形態）
＜制御システムの構成例＞
図１は、本開示の実施の形態に係る制御システム１の構成例を示すブロック図である。図１に示す制御システム１は、例えば、車両に適用され、車両の運転者の運転支援を行う。
【００１５】
なお、以下の説明における、「前」、「後」、「左」、および、「右」は、車両の進行方向に対する方向を示す。別言すれば、以下の説明における、「前」、「後」、「左」、および、「右」は、車両の運転席に座った運転者から見た方向に相当する。
【００１６】
制御システム１は、コントローラ（制御装置）１０と、左サイドカメラ１１と、右サイドカメラ１２と、ウインカレバー（turn signal lever、または、turn indicator lever等と称されてもよい）１４と、左サイドディスプレイ１６と、右サイドディスプレイ１７と、を含む。なお、図示は省略するが、制御システム１には、車両に搭載される種々の操作部、センサ、および、表示部が含まれてもよい。
【００１７】
左サイドカメラ１１は、例えば、左側のサイドミラーの位置に搭載される撮影装置である。左サイドカメラ１１の撮影領域は、少なくとも、車両の左後方の領域、および、左側後方の領域を含む。左サイドカメラ１１は、撮影した映像をコントローラ１０へ出力する。なお、左サイドカメラ１１が左サイドミラーを置き換えるミラーレスの構成でもよいし、左サイドミラーと左サイドカメラ１１との双方が車両に設けられてもよい。
【００１８】
右サイドカメラ１２は、例えば、右側のサイドミラーの位置に搭載される撮影装置である。右サイドカメラ１２の撮影領域は、少なくとも、車両の右後方の領域、および、右側後方の領域を含む。右サイドカメラ１２は、撮影した映像をコントローラ１０へ出力する。なお、右サイドカメラ１２が右サイドミラーを置き換えるミラーレスの構成でもよいし、右サイドミラーと右サイドカメラ１２との双方が車両に設けられてもよい。
【００１９】
ウインカレバー１４は、例えば、車両のステアリングホイールの前方に傾動操作可能に配設される。ウインカレバー１４は、運転者から傾動操作を受け付ける。ウインカレバー１４の操作に応じて、ウインカランプ（turn signal lamp、または、turn indicator lamp等と称されてもよい）が作動する。なお、以下では、左側および右側のウインカランプの両方を作動させないウインカレバー１４のクリック位置は、「中立位置」と記載されることがある。
【００２０】
例えば、ウインカレバー１４は、中立位置から右回りに所定角度操作されることによって右クリック位置に移動する。また、ウインカレバー１４は、中立位置から左回りに所定角度操作されることによって左クリック位置に移動する。ウインカレバー１４が右クリック位置に移動した場合、右側のウインカランプが点滅し、ウインカレバー１４が左クリック位置に移動した場合、左側のウインカランプが点滅する。また、右側のウインカランプまたは左側のウインカランプが点滅した場合、すなわち、ウインカが作動した場合、車室内にリレー音が出力されてよい。
【００２１】
ウインカレバー１４が軽く傾動された半押し状態では、傾動された方向に対応するウインカランプが点滅する。半押し状態から更に傾動され、右または左クリック位置に移動した場合、ウインカレバー１４から手を離しても、傾動された方向に対応するウインカランプは点滅し続ける。また、例えば、運転者が、半押し状態のウインカレバー１４から手を離した場合、ウインカレバー１４は中立位置に移動し、ウインカランプの点滅が停止する。
【００２２】
ウインカレバー１４が右クリック位置または左クリック位置に移動している状態（全押し状態）では、ステアリングホイールが所定の操舵角以上戻った場合、および、運転者がウインカレバー１４を中立位置まで戻した場合等、運転者の操作によりウインカレバー１４の全押し状態が解除され、ウインカランプの点滅が停止する。
【００２３】
左サイドディスプレイ１６は、例えば、車両の車室内において、運転席よりも左前方の位置に設けられる表示装置である。左サイドディスプレイ１６の表示画面には、左サイドカメラ１１によって撮影され、コントローラ１０によって処理が施された映像が表示される。左サイドディスプレイ１６は、ＬＥＤ（Light Emitting Diode）１６１、および、スピーカー１６２を有してもよい。ＬＥＤ１６１は、コントローラ１０によって制御され、点灯、点滅、または、消灯する発光部に相当する。スピーカー１６２は、コントローラ１０によって制御される。
【００２４】
右サイドディスプレイ１７は、例えば、車両の車室内において、運転席よりも右前方の位置に設けられる表示装置である。右サイドディスプレイ１７の表示画面には、右サイドカメラ１２によって撮影され、コントローラ１０によって処理が施された映像が表示される。右サイドディスプレイ１７は、ＬＥＤ１７１、および、スピーカー１７２を有してもよい。ＬＥＤ１７１は、コントローラ１０によって制御され、点灯、点滅、または、消灯する。スピーカー１７２は、コントローラ１０によって制御される。
【００２５】
なお、以下の説明において、左サイドディスプレイ１６と右サイドディスプレイ１７は、区別することなく、「ディスプレイ」または「表示装置」と記載されることがある。ディスプレイは、左サイドディスプレイ１６と右サイドディスプレイ１７の少なくとも一方に相当する。
【００２６】
コントローラ１０は、例えば、ＥＣＵ（Electric Control Unit）等によって構成されてよい。ＥＣＵは、入力端子、出力端子、プロセッサ、プログラムメモリおよびメインメモリを含む。
【００２７】
プロセッサは、プログラムメモリに格納されたプログラムを、メインメモリを用いて実行して、入力端子を介して受け取った各種信号を処理するとともに、出力端子を介して各種信号を出力する。
【００２８】
例えば、コントローラ１０は、左サイドカメラ１１から出力される映像に映像処理を施し、左サイドディスプレイ１６に表示させる制御、および、右サイドカメラ１２から出力される映像に映像処理を施し、右サイドディスプレイ１７に表示させる制御を行う。また、コントローラ１０は、ウインカレバー１４に対する運転者の操作等の運転者の操作、または、運転者の動作に関する情報を取得し、映像に対する処理を変更する。
【００２９】
コントローラ１０は、検知部１０１と、処理部１０２とを含む。例えば、コントローラ１０は、プロセッサがプログラムを実行することで、検知部１０１と、処理部１０２等として機能する。
【００３０】
検知部１０１は、例えば、運転者の操作、または、運転者の動作に関する情報を検知する。検知部１０１は、一例として、ウインカレバー１４の操作状態を検知する。ウインカレバー１４の操作状態は、例えば、ウインカレバー１４が移動した位置、ウインカレバー１４が傾けられた角度、ウインカレバー１４に与えられるトルク等の少なくとも１つを含む。また、ウインカレバー１４に感圧センサが設けられる場合、ウインカレバー１４の操作状態は、ウインカレバー１４が受ける力の向き（例えば、右回りまたは左回りの向き）を含んでもよい。
【００３１】
処理部１０２は、検知部１０１の検知結果に基づいて、左サイドカメラ１１から出力される映像に処理を施し、左サイドディスプレイ１６に表示させる制御、および、右サイドカメラ１２から出力される映像に処理を施し、右サイドディスプレイ１７に表示させる制御を行う。
【００３２】
例えば、ウインカレバー１４が中立位置であることが検知部１０１によって検知された場合、処理部１０２は、右サイドディスプレイ１７に右サイドカメラ１２が撮影した第１の領域の映像を表示させる。
【００３３】
運転者の第１の動作が検知部１０１によって検知された場合、処理部１０２は、右サイドディスプレイ１７に表示させる映像の領域を第１の領域から第２の領域へ変更する処理を行う。
【００３４】
第１の動作とは、例えば、運転者がウインカレバー１４を中立位置から右回りに傾動させ、右クリック位置に移動させる操作である。
【００３５】
また、第１の領域は、車両の右後方の領域であり、第２の領域は、車両の右後方の第１の領域よりも広い領域である。例えば、第２の領域は、第１の領域に隣接して右側後方に位置する第３の領域を含む。第１の領域が車両の右後方の領域であり、第２の領域が車両の右後方の第１の領域よりも広い領域である場合、第１の領域から第２の領域へ変更する処理は、視野範囲を拡大する処理（以下、視野範囲拡大処理）と捉えてよい。なお、視野範囲拡大処理の一例については、後述する。
【００３６】
上述では、コントローラ１０が右サイドカメラ１２によって撮影された映像を右サイドディスプレイ１７に表示させる場合の視野範囲拡大処理を例に挙げて説明した。コントローラ１０は、右サイドディスプレイ１７と同様に、左サイドカメラ１１によって撮影された映像を左サイドディスプレイ１６に表示させる場合にも、視野範囲拡大処理を行ってよい。なお、左サイドディスプレイ１６に表示させる場合のコントローラ１０の視野範囲拡大処理では、ウインカレバー１４の操作は、上述した右サイドディスプレイ１７の場合と、左右対称である。
【００３７】
また、以下の説明では、左右の対称性を鑑みて、右サイドディスプレイ１７の表示に対する処理または左サイドディスプレイ１６の表示に対する処理のいずれか一方について説明し、他方については説明を省略する場合がある。
【００３８】
＜視野範囲拡大処理の例＞
図２Ａおよび図２Ｂは、本実施の形態における視野範囲拡大処理の一例を示す図である。図２Ａおよび図２Ｂには、右サイドディスプレイ１７における表示例が示される。
【００３９】
図２Ａは、視野範囲拡大処理が実行されていない場合の表示例である。視野範囲拡大処理が実行されていない場合、車両の右後方の領域（第１の領域）が右サイドディスプレイ１７に表示される。
【００４０】
図２Ｂは、視野範囲拡大処理が実行されている場合の表示例である。視野範囲拡大処理が実行されている場合、枠Ｓの内側に示される車両の右後方の領域（第１の領域）と、枠Ｓの外側に示される、第１の領域よりも右側後方の第３の領域とが右サイドディスプレイ１７に表示される。
【００４１】
なお、図２Ｂにおける、枠Ｓは、説明の便宜上、右サイドディスプレイ１７に破線で示されるが、実際には表示されなくてよい。
【００４２】
視野範囲拡大処理では、処理部１０２は、右サイドカメラ１２によって撮影された映像から右サイドディスプレイ１７に表示する領域を抽出し、抽出した領域の倍率を調整する。例えば、視野範囲拡大処理では、図２Ａに示した表示から図２Ｂに示した表示に遷移する。この場合、例えば、処理部１０２は、即座に（遅滞なく）表示を遷移させてよい。
【００４３】
なお、以下の説明において、視野範囲拡大処理が実行されていない場合の表示は、通常視野の表示と記載され、視野範囲拡大処理が実行されている場合の表示は、拡大視野の表示と記載されることがある。
【００４４】
視野範囲拡大処理では、視野範囲を拡大するために、映像の表示倍率を下げる。表示倍率を下げることによって、通常視野で表示されている領域は、拡大視野の表示では小さく映る（図２Ａおよび図２Ｂの枠Ｓ参照）。例えば、通常視野の表示において比較的近くを走行する車両が、拡大視野の表示では遠くに後退したかの様に映ってしまうため、運転者は、後続車両が遠ざかったとの誤った認識によって、周囲の状況を誤認する可能性がある。
【００４５】
本実施の形態におけるコントローラ１０は、運転者が周囲の状況を誤認することを防止するために、視野範囲拡大処理が実行されていることを運転者に知らせる提示処理を行う。例えば、視野範囲拡大処理が実行されていることを運転者に知らせる提示処理は、運転者の視線を誘導する視線誘導処理に相当する。そのため、以下の説明において、「視線誘導処理」という記載は、「提示処理」の一例である、と捉えてよい。
【００４６】
例えば、コントローラ１０において、運転者の第２の動作が検知部１０１によって検知された場合、処理部１０２は、運転者の視線を右サイドディスプレイ１７に誘導する視線誘導処理を行う。第２の動作とは、運転者がウインカレバー１４を右（または左）へ操作する際に行われる所定の動作である。所定の動作は、例えば、運転者が中立位置のウインカレバー１４の左側（または右側）に触れ、右クリック位置（または左クリック一）への移動を開始する動作である。
【００４７】
なお、運転者の第２の動作が検知部１０１によって検知されたタイミングから所定時間後（例えば、０．１秒後）に、処理部１０２は、視野範囲拡大処理を行う、としてもよい。
【００４８】
左および右のそれぞれについて鑑みると、処理部１０２は、検知部１０１がウインカレバー１４の左または右への操作を検知した場合、操作の方向に対応するディスプレイに表示する視野範囲の領域を、操作の方向（左または右）の後方の領域から、後方の領域に隣接して側後方に位置する領域を含む領域へ切替える視野範囲拡大処理（切替処理と記載されることがある）を実行する。また、処理部１０２は、視野範囲拡大処理（切替処理）が実行されていることを運転者に知らせる提示処理（例えば、第１の提示処理）を実行する。
【００４９】
次に、視線誘導処理の例について、視線誘導処理が施された表示例に基づいて説明する。
【００５０】
＜視線誘導処理の例（静的エフェクト）＞
図３Ａは、本実施の形態における視線誘導処理の第１の例を示す図である。図３Ａに示すように、第１の例において、処理部１０２は、右サイドディスプレイ１７に設けられたＬＥＤ１７１を発光（点灯）させる視線誘導処理を行う。
【００５１】
図３Ｂは、本実施の形態における視線誘導処理の第２の例を示す図である。図３Ｂに示すように、第２の例において、処理部１０２は、右サイドディスプレイ１７の表示領域の外枠を高い輝度で表示させる視線誘導処理を行う。
【００５２】
図３Ｃは、本実施の形態における視線誘導処理の第３の例を示す図である。なお、図３Ｃでは、枠Ｓの内側の第１の領域と枠Ｓの外側の第３の領域とが異なる態様であることが、ハッチングを用いて示されている。図３Ｃに示すように、第３の例において、処理部１０２は、枠Ｓの内側の第１の領域と、枠Ｓの外側の第３の領域とに異なる態様を与える視線誘導処理を行う。例えば、処理部１０２は、第１の領域の輝度と第３の領域の輝度とに差を設けて表示させる。
【００５３】
輝度の差を設ける方法については、特に限定されない。例えば、第１の領域の輝度を第３の領域の輝度よりも低くしてもよいし、第１の領域の輝度を第３の領域の輝度よりも高くしてもよい。
【００５４】
一例としては、第１の領域の輝度を基準値よりも低く設定し、第３の領域の輝度を基準値に設定してよい。例えば、基準値は、視線誘導処理を行う前の右サイドディスプレイ１７の輝度、あるいは、通常視野の表示における輝度であってもよい。この場合、第１の領域の輝度が低いため、第１の領域の視認性を下げることができ、第１の領域に表示される後続車までの距離感の認識を阻害できる。第１の領域の表示の視認性を下げることによって、運転者が、後続車が小さく表示される画像（後続車が遠くに見える画像）から誤った認識を受けることを防止できる。
【００５５】
また、別の一例として、第１の領域の輝度を基準値に設定し、第３の領域の輝度を基準値よりも高く設定してよい。例えば、基準値は、視線誘導処理を行う前の右サイドディスプレイの輝度、あるいは、通常の表示状態の輝度であってもよい。この場合、第３の領域の輝度が通常よりも高いため、運転者の視線の誘導をより効果的に行うことができる。
【００５６】
図３Ｄは、本実施の形態における視線誘導処理の第４の例を示す図である。図３Ｄに示すように、第４の例において、処理部１０２は、第３の領域の外周の辺のうち、第１の領域の外周（枠Ｓ）を除く辺の部分を高い輝度で表示させる視線誘導処理を行う。
【００５７】
なお、図３Ｄでは、第３の領域の外周の辺のうち、第１の領域の外周（枠Ｓ）を除く辺の部分を高い輝度で表示させる例を示したが、高い輝度で表示させる枠（または辺）はこれに限定されない。例えば、第３の領域の外周の辺の全てを高い輝度で表示させてもよいし、第３の領域の下側の辺と右側の辺を高い輝度で表示させてもよい。
【００５８】
図３Ｄの例では、運転者による映像の認識を妨げることなく、運転者の視線の誘導をより効果的に行うことができる。
【００５９】
また、上述した例では、視線誘導処理が、ディスプレイの表示を用いた処理の例を説明したが、例えば、視線誘導処理は、音声を用いた処理であってもよい。
【００６０】
例えば、処理部１０２は、ウインカレバー１４の操作に対応する側のディスプレイのスピーカー（例えば、上述の例では、右サイドディスプレイ１７のスピーカー１７２）から音を出力する視線誘導処理を行ってもよい。この場合、スピーカー１７２から出力される音は、ウインカを作動した場合の方向指示を示すリレー音であってもよいし、他の警告音、または、音声メッセージであってもよい。
【００６１】
また、視線誘導処理では、上述したディスプレイの表示を用いた処理と、音声を用いた処理との組み合わせであってもよい。
【００６２】
なお、上述の第１の例から第４の例は、運転者の視線を誘導する処理を施した表示であり、運転者に視野範囲拡大処理が実行されていることを示すことができる。別言すれば、上述した視線誘導処理は、運転者に視野範囲拡大処理が実行されていることを示すための処理と捉えてもよい。つまり、本実施の形態における視線誘導処理は、運転者の視線を誘導する処理であり、かつ、運転者に視野範囲拡大処理が実行されていることを示す処理であるとしてよい。
【００６３】
なお、上述の第１の例におけるＬＥＤ１７１の点灯は、運転者の視線を誘導し、視野範囲拡大処理が実行されていることを示してよい。
【００６４】
なお、上述の第１の例から第４の例は、表示が動的に変化しない映像のエフェクトを用いた視線誘導処理の例である。以下、表示が動的に変化しない映像のエフェクトは、静的エフェクトと記載されることがある。
【００６５】
静的エフェクトは、ディスプレイの表示領域において、強調の程度が低く、強調の態様に動的な変化が無いものであり、運転者に与える視覚的な刺激は比較的弱い。
【００６６】
なお、静的エフェクトよりも強調の程度が高く、強調の態様に動的な変化を伴うエフェクトを与える視線誘導処理が適用されてもよい。強調の態様に動的な変化を伴うエフェクトは、動的エフェクトと記載されることがある。以下、動的エフェクトを与える視線誘導処理の例を説明する。
【００６７】
＜視線誘導処理の例（動的エフェクト）＞
例えば、第１の例において、処理部１０２は、ＬＥＤ１７１を点滅してもよい。また、処理部１０２は、ＬＥＤ１７１の発光色を周期的に変更してもよい。
【００６８】
例えば、第２の例において、処理部１０２は、右サイドディスプレイ１７の表示領域の外枠の輝度を時間経過に応じて変更してもよいし、輝度を変更する範囲の広さおよび／または位置を時間経過に応じて変更してもよい。
【００６９】
また、第３の例において、処理部１０２は、輝度の差の大きさを時間経過に応じて変更してもよいし、輝度の差を与える領域の広さおよび／または位置を時間経過に応じて変更してもよい。
【００７０】
また、第４の例において、処理部１０２は、右サイドディスプレイ１７の表示領域の外枠の輝度を時間経過に応じて変更してもよいし、輝度を変更する範囲の広さおよび／または位置を時間経過に応じて変更してもよい。
【００７１】
例えば、第４の例に基づく動的な表示の変化の一例を説明する。
【００７２】
図４は、本実施の形態における視線誘導処理の第５の例を示す図である。図４には、右サイドディスプレイ１７における、パターンａとパターンｂの表示パターンが示される。
【００７３】
パターンａでは、第１の領域の外周（枠Ｓ）が高い輝度で表示される。パターンｂでは、第３の領域の外周の辺のうち、第１の領域の外周（枠Ｓ）を除く辺の部分が高い輝度で表示される。
【００７４】
処理部１０２は、パターンａの表示とパターンｂの表示とを交互に繰り返す視線誘導処理を行ってもよい。この場合、処理部１０２は、交互に繰り返す周期を、時間経過に応じて変更してもよい。例えば、処理部１０２は、周期を徐々に長くしてもよいし、徐々に短くしてもよい。
【００７５】
なお、図４では、２つの表示パターンを交互に表示させる動的な変化の一例を説明したが、動的な表示においては、３つ以上の表示パターンが順に周期的に表示されてもよい。
【００７６】
このように、動的な表示を行うことにより、運転者の注意を引きつけ、運転者の視線をより効果的にディスプレイに誘導できる。
【００７７】
なお、処理部１０２は、動的な表示を行う場合、表示の動きによって視線を誘導できるため、静的な表示（例えば、図３Ｃ）よりも輝度の差を小さくしてもよい。輝度の差を小さくする一方で、輝度の差が与えられる領域の位置およびサイズを動的に変化させることによって、運転者への視覚的な刺激を抑えながら、運転者の視線をより効果的にディスプレイに誘導できる。
【００７８】
また、動的な表示の変化は、車両の操作に関する情報と連動してもよい。以下では、ウインカ操作に関する情報と連動して、動的に表示が変化する一例を説明する。
【００７９】
図５は、本実施の形態における視線誘導処理の第６の例を示す図である。図５には、車両のステアリングホイールの前方に設けられるインパネ部に表示されるウインカ作動を示すランプＬａと、右サイドディスプレイ１７の表示例とが示される。
【００８０】
ウインカ作動を示すランプＬａは、運転者によるウインカレバー１４の操作に応じて点滅する。例えば、処理部１０２は、ウインカ作動を示すランプＬａの点滅の周期（点灯と消灯を繰り返す周期）と、動的な変化の周期とを同期させる処理を行う。
【００８１】
図５の例では、処理部１０２は、ウインカ作動を示すランプＬａが点灯している場合に、図３Ｃと同様に、第１の領域の輝度と第３の領域の輝度とに差を設け、ウインカ作動を示すランプＬａが消灯している場合に、エフェクトを与えない。
【００８２】
なお、図５の例では、動的な表示の変化が、ウインカ作動を示すランプＬａの点滅と連動する例を説明したが、動的な表示の変化は、ウインカ作動を示す音（リレー音）と連動させてもよい。例えば、ウインカ作動を示す音（リレー音）の周期と、動的な表示の周期とを同期させてもよい。
【００８３】
動的な表示の変化が、車両の操作に関する情報と連動することによって、例えば、運転者は、運転者の操作と連動してディスプレイの表示が変化していることを直感的に理解できる。そのため、運転者がディスプレイの表示を、例えば、他の警告であると誤解してしまうことを回避できる。
【００８４】
なお、動的な表示の変化は、図４および図５に示したような２つの表示を交互に繰り返す例に限定されない。以下では、視線誘導処理の例として、連続して動的に変化するアニメーション処理が行われる例を説明する。
【００８５】
図６は、本実施の形態における視線誘導処理のアニメーションの第１の例を示す図である。図６には、右サイドディスプレイ１７における、パターンｃ〜パターンｆの４つの表示パターンとパターン間の遷移の一例を示す矢印とが示される。
【００８６】
パターンｃは、視野範囲拡大処理が実行されていない場合の表示例である。視野範囲拡大処理が実行されていない場合、車両の右後方の領域（第１の領域）が右サイドディスプレイ１７に表示される。
【００８７】
パターンｄは、視野範囲拡大処理が実行された場合の第１の表示例である。パターンｄでは、枠Ｓの外側に示される第３の領域の輝度が、枠Ｓの内側に示される車両の右後方の領域（第１の領域）の輝度よりも高く設定される。この場合、輝度の境界は、枠Ｓに相当する。なお、図６では第３の領域の輝度が第１の領域の輝度よりも高く設定される事を、第１の領域の部分をハッチングする事で表しているが、例えば、第１の領域の輝度は基準値のままであって、第３の領域の輝度が基準値よりも高く設定される制御でもよい。
【００８８】
パターンｄの表示の後、輝度の境界を枠Ｓから右サイドディスプレイ１７の表示領域の外枠に向かって広げるアニメーションを行う。
【００８９】
パターンｅは、視野範囲拡大処理が実行された場合の第２の表示例である。パターンｅの輝度の境界は、パターンｄの輝度の境界よりも、右サイドディスプレイ１７の表示領域の外枠に向かって広がっている。
【００９０】
パターンｆは、視野範囲拡大処理が実行された場合の第３の表示例である。パターンｆの輝度の境界は、パターンｅの輝度の境界よりも、右サイドディスプレイ１７の表示領域の外枠に向かって広がっている。
【００９１】
パターンｆの表示の後、輝度の境界を無くした状態の表示を経て、右サイドディスプレイ１７は、パターンｄに示す表示に戻り、再び、輝度の境界を枠Ｓから右サイドディスプレイ１７の表示領域の外枠に向かって広げるアニメーションを行う。
【００９２】
なお、図６では、輝度の差を設けることによって、ディスプレイの表示領域内の視認性に差を与える例を説明したが、視認性に差を与える方法は、輝度の差に限定されない。以下では、表示領域内に、視認性に差を与える別の例を説明する。
【００９３】
図７は、本実施の形態における視線誘導処理のアニメーションの第２の例を示す図である。図７には、右サイドディスプレイ１７における、パターンｇ〜パターンｊの４つの表示パターンとパターン間の遷移の一例を示す矢印とが示される。
【００９４】
パターンｇは、視野範囲拡大処理が実行されていない場合の表示例である。視野範囲拡大処理が実行されていない場合、車両の右後方の領域（第１の領域）が右サイドディスプレイ１７に表示される。
【００９５】
パターンｇの表示の後、視野範囲拡大処理が実行され、拡大視野を表示する。また、拡大視野の表示に対する視線誘導処理が実行される。
【００９６】
パターンｈは、視線誘導処理が実行されている場合の第１の表示例である。パターンｈでは、枠Ｓの外側に示される第３の領域に半透過のＬ字型の帯（ハッチングの箇所に相当）が重畳されて表示される。半透過のＬ字型の帯が重畳された領域においては、路面等の表示が透過されて見えている。
【００９７】
パターンｈの表示の後、半透過のＬ字型の帯を右サイドディスプレイ１７の表示領域の外枠に向かって狭くするアニメーションを行う。
【００９８】
パターンｉは、視線誘導処理が実行されている場合の第２の表示例である。パターンｉの半透過のＬ字型の帯は、パターンｈよりも、右サイドディスプレイ１７の表示領域の外枠に向かって狭まっている。
【００９９】
パターンｊは、視線誘導処理が実行されている場合の第３の表示例である。パターンｊの半透過のＬ字型の帯は、パターンｉよりも、右サイドディスプレイ１７の表示領域の外枠に向かって狭まっている。
【０１００】
パターンｊの表示の後、半透過のＬ字型の帯を無くした状態の表示を経て、右サイドディスプレイ１７は、パターンｇに示す表示に戻り、再び、半透過のＬ字型の帯を枠Ｓから右サイドディスプレイ１７の表示領域の外枠に向かって狭めるアニメーションを行う。
【０１０１】
なお、図６および図７では、ディスプレイの表示領域内の視認性に差を与えるアニメーションの例を説明した。この例では、表示領域内の表示を隠すアニメーションでは無いため、運転者は、拡大視野の表示を遅滞なく視認できる。
【０１０２】
なお、図６および図７では、ディスプレイの表示領域内の視認性に差を与えるアニメーションの例を説明したが、視認性に差を与えないアニメーションが用いられてもよい。以下では、表示領域内に、視認性の差を与えない例について説明する。
【０１０３】
図８は、本実施の形態における視線誘導処理のアニメーションの第３の例を示す図である。図８には、右サイドディスプレイ１７における、パターンｋ〜パターンｎの４つの表示パターンとパターン間の遷移の一例を示す矢印とが示される。
【０１０４】
パターンｋは、視野範囲拡大処理が実行されていない場合の表示例である。視野範囲拡大処理が実行されていない場合、車両の右後方の領域（第１の領域）が右サイドディスプレイ１７に表示される。
【０１０５】
パターンｋの表示の後、視野範囲拡大処理が実行され、拡大視野を表示する。また、拡大視野の表示に対する視線誘導処理が実行される。
【０１０６】
パターンｌは、視線誘導処理が実行されている場合の第１の表示例である。パターンｌでは、車両の右後方の領域（第１の領域）を囲む枠Ｓに枠線が表示される。枠線は、右サイドディスプレイ１７の表示領域を２つに区分する境界線に相当する。枠線は、輝度の高い線であり、所定の幅を有する。この枠線は半透過にして、背景を隠さない様にしてもよく、実線ではなく破線にして、背景を隠す程度を低減してもよい。また、枠線には、輝度の高い線ではなく、輝度の低い線が用いられても良い。
【０１０７】
パターンｌの表示の後、枠線の位置を右サイドディスプレイ１７の表示領域の外枠に向かって広げるアニメーションを行う。
【０１０８】
パターンｍは、視線誘導処理が実行されている場合の第２の表示例である。パターンｍの枠線の位置は、パターンｌよりも、右サイドディスプレイ１７の表示領域の外枠に向かって広がっている。
【０１０９】
パターンｎは、視線誘導処理が実行されている場合の第３の表示例である。パターンｎの枠線の位置は、パターンｍよりも、右サイドディスプレイ１７の表示領域の外枠に向かって広がっている。
【０１１０】
パターンｎの表示の後、枠線が表示領域の外枠に一致した状態の表示を経て、右サイドディスプレイ１７は、パターンｌに示す表示に戻り、再び、枠線を枠Ｓから右サイドディスプレイ１７の表示領域の外枠に向かって広げるアニメーションを行う。
【０１１１】
図８では、ディスプレイの表示領域内の視認性に差を与えることがないアニメーションであり、また、表示領域内の表示を隠すアニメーションでは無いため、運転者は、拡大視野の表示を遅滞なく視認でき、見落としを防ぐことができる。
【０１１２】
処理部１０２は、図６、図７または図８に示したアニメーションを周期的に繰り返す視線誘導処理を行ってもよい。この場合、処理部１０２は、アニメーションを繰り返す周期を、時間経過に応じて変更してもよい。例えば、処理部１０２は、周期を徐々に長くしてもよいし、徐々に短くしてもよい。
【０１１３】
また、処理部１０２は、アニメーションを繰り返す周期を、車両の操作に関する情報と連動して実行してもよい。
【０１１４】
例えば、処理部１０２は、ウインカ作動を示すランプの点滅の周期（点灯と消灯を繰り返す周期）とアニメーションを繰り返す周期とを同期させてもよいし、ウインカ作動を示す音（リレー音）の周期とアニメーションを繰り返す周期とを同期させてもよい。
【０１１５】
なお、視線誘導処理は、上述した静的エフェクトの例および／または動的エフェクトの例のいずれか２つ以上の組み合わせであってもよい。組み合わせの一例について図９を参照して説明する。
【０１１６】
図９は、本実施の形態におけるエフェクトの組み合わせの例を示す図である。図９では、図３Ａと同様に、ＬＥＤ１７１が点滅し、図３Ｄと同様に、第３の領域の外周の辺のうち、第１の領域の外周（枠Ｓ）を除く辺の部分（領域Ｔ）を高い輝度で表示している。
【０１１７】
例えば、図９に示す表示において、ＬＥＤ１７１の点滅と、領域Ｔとを同期または同質化させてもよい。例えば、ＬＥＤ１７１を点滅させる色と、領域Ｔの色とを同じ色に設定されてよい。また、例えば、領域Ｔの輝度の増加および減少と、ＬＥＤ１７１の輝度の増加および減少とを、同期させてもよい。
【０１１８】
図９に示す表示により、ＬＥＤ１７１によって誘導された運転者の視線の行き先が、領域Ｔの中であることを運転者に提示できるので、運転者に対して、視野範囲拡大が実行されていることをより効率よく知らせることができる。
【０１１９】
なお、領域Ｔを高い輝度で表示させる代わりに、上述した他の静的エフェクトを適用してもよいし、動的エフェクト（例えば、図６〜図８のいずれか１つ以上）を適用してもよい。
【０１２０】
＜視線誘導処理の停止、および、変更＞
次に、上述した視線誘導処理を停止、および、変更する例について説明する。例えば、処理部１０２は、視線誘導処理を、所定の条件を満たすまで継続し、当該条件を満たした場合に停止してよい。
【０１２１】
例えば、処理部１０２は、所定時間が経過した場合に、視線誘導処理を停止してもよい。あるいは、処理部１０２は、運転者による所定の操作が実行された場合に視線誘導処理を停止してもよい。ここで、所定の操作には、例えば、運転者がステアリングホイールを所定角度以上回転させる操作、または、運転者がウインカレバー１４を中立位置に戻す操作が含まれる。
【０１２２】
このように、処理部１０２が経過時間または運転者の操作に基づいて視線誘導処理を停止することによって、視線誘導処理の継続時間を短くできる。
【０１２３】
また、上述した制御システム１に、運転者の視線の方向を検知する構成が含まれる場合、処理部１０２は、運転者の視線に応じて、視線誘導処理を継続、または、停止してもよい。
【０１２４】
例えば、処理部１０２は、運転者の視線が右サイドディスプレイ１７の設置された方向に向けられたことが検知されるまで、視線誘導処理を継続してもよい。そして、処理部１０２は、運転者の視線が右サイドディスプレイ１７の設置された方向に向けられたことが検知された場合、右サイドディスプレイ１７に対する視線誘導処理を停止してもよい。
【０１２５】
このように、処理部１０２が運転者の視線に基づいて視線誘導処理を停止することによって、視線誘導処理の継続時間を短くでき、運転者への視覚的な刺激を抑えることができる。
【０１２６】
なお、制御システム１に、運転者の視線の方向を検知する構成が含まれる場合、処理部１０２は、視線誘導処理が開始される条件を満たしている場合であっても、運転者の視線に応じて視線誘導処理を開始するか否かを判断してよい。
【０１２７】
例えば、処理部１０２は、運転者の視線が右サイドディスプレイ１７の設置された方向に向けられたことが検知されている場合、視線誘導処理を開始しなくてよい。
【０１２８】
また、処理部１０２は、運転者の視線が右サイドディスプレイ１７の設置された方向に向けられたことが検知されていない場合、視線誘導処理を開始してよい。そして、視線誘導処理が開始された後に、運転者の視線が右サイドディスプレイ１７の設置された方向に向けられたことが検知された場合、処理部１０２は、視線誘導処理を停止してよい。
【０１２９】
このように、運転者の視線に基づいて視線誘導処理を開始するか否かが判断されることによって、視線誘導処理を行うべき状況において視線誘導処理を開始でき、視線誘導処理を行わなくてもよい状況において視線誘導処理の開始を避けることができる。そのため、例えば、既に、該当するディスプレイ（上述では、右サイドディスプレイ１７）に視線を向けている運転者が煩わしいと感じることを避けられる。
【０１３０】
なお、上述では、視線誘導処理を開始してから経過した時間、または、検知した運転者の視線の方向に応じて、視線誘導処理が継続、または、停止される例を説明した。例えば、視線誘導処理を開始してから経過した時間、または、検知した運転者の視線の方向に応じて、視線誘導処理が変更されてもよい。
【０１３１】
既に説明したように、静的エフェクトは、ディスプレイの表示領域において、強調の態様に動的な変化が無いものであり、運転者に与える視覚的な刺激は比較的弱い。一方で、動的エフェクトは、ディスプレイの表示領域において、強調の態様に動的な変化を伴うものであり、運転者に与える視覚的な刺激は比較的強い。
【０１３２】
例えば、処理部１０２は、第１の所定時間が経過するまでの間、動的エフェクトを与える視線誘導処理を実行し、第１の所定時間が経過した後、静的エフェクトを与える視線誘導処理に切替えてもよい。また、処理部１０２は、第１の所定時間より長い第２の所定時間が経過した後で、視線誘導処理を停止してもよい。
【０１３３】
また、制御システム１に、運転者の視線の方向を検知する構成が含まれる場合、処理部１０２は、視線の検知結果に応じて、動的エフェクトを与える処理と、静的エフェクトを与える処理とを変更してもよい。
【０１３４】
処理部１０２は、運転者の視線が右サイドディスプレイ１７の設置された方向に向けられたことが検知されていない間、動的エフェクトを与える視線誘導処理を実行し、運転者の視線が右サイドディスプレイ１７の設置された方向に向けられたことが検知された場合に、静的エフェクトを与える視線誘導処理に切替えてよい。
【０１３５】
なお、制御システム１に、運転者の視線の方向を検知する構成が含まれる場合、例えば、コントローラ１０は、運転者の視線の方向を検知したタイミングに応じて視線誘導処理の停止または変更を行ってよい。
【０１３６】
例えば、検知部１０１は、視線誘導処理を開始したタイミングから、運転者の視線が対応するディスプレイの設置された方向に向けられたタイミングまでの反応時間を算出する。また、検知部１０１は、運転開始から実行された視野範囲拡大処理の回数をカウントし、視野範囲拡大処理と反応時間とを対応づけて記憶する。処理部１０２は、視野範囲拡大処理の回数と反応時間とに基づいて、視野範囲拡大処理が運転者に認知されたか否かを推定する。
【０１３７】
例えば、反応時間が所定値（例えば、０．３秒）以下の場合、運転者が視線誘導処理に促されて視線を移動しているのではないと判断されてよい。そして、所定値以下という条件を満たす反応時間に対応づけられる視野範囲拡大処理が、所定回数（例えば、３回）以上連続した場合、ディスプレイを確認する習慣が運転者に備わっている、と判断されてよい。また、この場合、運転者は、ウインカレバー１４の操作に連動して、視野範囲拡大処理が実行されることを認識している、判断されてよい。
【０１３８】
このような判断を基に、例えば、処理部１０２は、所定値以下という条件を満たす反応時間に対応づけられる視野範囲拡大処理が、所定回数以上連続した場合、動的なエフェクトを与える処理を静的なエフェクトを与える処理に変更してもよい。あるいは、この場合、処理部１０２は、ウインカレバー１４の操作に関わらず、視線誘導処理を行わない、としてもよい。あるいは、この場合、処理部１０２は、ＬＥＤを点滅させる代わりに、点灯または消灯してよい。
【０１３９】
このように、反応時間に基づいて、運転者がディスプレイを確認することを習慣づけられたかを判断することによって、過剰な視線誘導処理、または、不必要な視線誘導処理を制限できる。この時、コントローラ１０は、ディスプレイを確認する習慣が運転者に備わっている、という判断結果を記憶部等に保持してよい。また、判断結果を保持する条件は、車両の運用形態（例えば、車両を使用する運転者が交代するか否か）に応じて変更されても良い。例えば、車両が路線バスであって、運転者の交代がある場合に、判断結果の保持が、停止されてもよい。判断結果の保持を停止するタイミングは、例えば、運転者の交代が認識された時点（例えば、運転者が路線バスのエンジンをオフにした時点）であってよい。また、自家保有の自動車であって、運転者の交代がない場合には、エンジンをオフにした後も、判断結果が保持されてよい。判断結果が保持されている場合、コントローラ１０は、毎度、エンジンを起動してから所定の回数視線誘導処理を実行し、その後、視線誘導処理を実行しないような制御であってもよい。運転者がディスプレイを確認することが習慣づけられている場合に、視線誘導処理を実行しない、または、実行する頻度を抑えることによって、運転者に煩わしく思われることを回避する制御が適用されてもよい。
【０１４０】
なお、反応時間に対する所定値（上述では、０．３秒）は、人の年齢、性別等に応じて異なるため、運転者に応じて設定されてもよい。または、反応時間に対する所定値は、車種毎に、想定する運転者の特性および／または嗜好を考慮して設定されてもよい。
【０１４１】
なお、運転者の視線の方向を検知する構成については特に限定されない。例えば、本実施の形態における左サイドディスプレイ１６および右サイドディスプレイ１７は、車の利用者（例えば、運転者）に違和感を与えないように、従来のサイドミラーに近い位置に設置される。この場合、左サイドディスプレイ１６と右サイドディスプレイ１７とは、運転者が前方を確認している時の視線の方向から大きく変わる方向に設けられる。そのため、視線の方向を検知する構成は、例えば、視線の３次元空間における方位角および仰角のうち仰角の特定を省略し、２次元平面における方位角を特定する構成であってもよい。なお、運転者の視線の方向を検知する構成の代わりに、運転者の顔向きを検知する構成であってもよい。
【０１４２】
また、処理部１０２は、運転者によるステアリングホイールの操作状態に基づいて、視線誘導処理を停止してよいし、あるいは、視線誘導処理を変更してよい。
【０１４３】
例えば、動的エフェクトを与える視線誘導処理が実行されている状態において、検知部１０１がステアリングホイールの操舵角が所定値以上となったことを検知した場合、処理部１０２は、視線誘導処理を停止してよい。あるいは、この場合、処理部１０２は、動的エフェクトを与える視線誘導処理から静的エフェクトを与える視線誘導処理に変更してよい。例えば、この場合、処理部１０２は、ＬＥＤを点滅させた状態から、静的に点灯する状態に変更してよい。
【０１４４】
このステアリングホイールの操舵角が所定値以上となった場合とは、例えば、車両が右左折または車線変更の動作を実行している場合に相当し、この間は、運転者は、主として前方ないし進路変更する方向を注視する事が求められる。視線誘導処理の停止または変更は、この間に、不必要に運転者の視線を誘導しない為の制御である。
【０１４５】
また、処理部１０２は、車両の位置情報および地図情報を含むナビゲーション情報に基づいて、視線誘導処理を停止してよいし、あるいは、視線誘導処理を変更してよい。例えば、検知部１０１が、ナビゲーション情報に基づいて、車両の車線内における位置を検知し、処理部１０２は、検知結果に基づいて、視線誘導処理を停止してよいし、あるいは、視線誘導処理を変更してよい。
【０１４６】
例えば、動的エフェクトを与える視線誘導処理が実行されている状態において、検知部１０１が、車両の車線区分線への接近、または、車両の車線区分線との交差を検知した場合、処理部１０２は、視線誘導処理を停止してよい。あるいは、この場合、処理部１０２は、動的エフェクトを与える視線誘導処理から静的エフェクトを与える視線誘導処理に変更してよい。例えば、この場合、処理部１０２は、ＬＥＤを点滅させた状態から、静的に点灯する状態に変更してよい。
【０１４７】
なお、視野範囲拡大処理は、例えば、運転者の操作等に基づいて一時的にキャンセルされてよい。例えば、ウインカが作動した状態において、拡大視野と通常視野とが、運転者の操作等に基づいて切替えられてよい。このような場合において、はじめに表示された拡大視野の表示に対する視線誘導処理と、拡大視野から通常視野に変更された後に再び表示される拡大視野の表示に対する視線誘導処理とは、異なっていてもよい。
【０１４８】
例えば、処理部１０２は、再び表示される拡大視野の表示に対して、動的なエフェクトを１回（例えば、１周期分）与え、その後、視線誘導処理を停止してもよい。あるいは、処理部１０２は、静的なエフェクトを与える視線誘導処理を行ってよい。その場合、処理部１０２は、ＬＥＤを点滅させずに、静的に点灯させてよい。または、運転者の操作等に基づく一時的なキャンセルから復帰した後の拡大視野の表示に対して、視線誘導処理を行わない制御にしても良い。
【０１４９】
なお、視野範囲拡大処理が、運転者の操作等に基づいて一時的にキャンセルされる処理については後述する。
【０１５０】
以上説明した本実施の形態において、コントローラ（制御装置）１０は、車両に設けられるウインカレバー１４の操作を検知する検知部１０１と、車両に設けられたカメラ（撮影装置）によって撮影された映像に映像処理を行い、車両に設けられたディスプレイ（表示装置）に表示させる処理部１０２とを備える。そして、処理部１０２は、検知部１０１がウインカレバー１４の左または右への操作を検知した場合、操作の方向に対応するディスプレイに表示する視野範囲の領域を、操作の方向（左または右）の後方の領域から、後方の領域に隣接して側後方に位置する領域を含む領域へ切替える視野範囲拡大処理（切替処理）を実行する。また、処理部１０２は、視野範囲拡大処理（切替処理）が実行されていることを車両の運転者に知らせる提示処理（第１の提示処理）を実行する。
【０１５１】
この構成により、ディスプレイ（表示装置）に表示される領域を変化させる視野範囲拡大処理が実行された場合であっても、視野範囲拡大処理が実行されていることを車両の運転者に知らせることによって、運転者に視野範囲拡大が行われている事を判らせることができるため、運転者が、表示装置に表示された領域の変化を確認できる。そのため、例えば、ディスプレイに表示される領域の変化を後続車両が遠ざかったと誤認するような状況を避けることができる。
【０１５２】
例えば、ディスプレイ（表示装置）に表示される領域の視野範囲を段階的に変化させることによって、表示が変化していることを示す構成であっても、段階的な変化を運転者が確認していなければ、後続車両が遠ざかったと誤認するような状況が発生する可能性がある。また、領域の視野範囲を段階的に変化させる場合には視野範囲を十分に拡大するまでに時間遅延が生じ、運転者の安全確認に遅延が生じてしまう。
【０１５３】
本実施の形態の構成では、運転者に視野範囲拡大が行われていることを知らせるために運転者の視線をディスプレイに誘導することができるので、運転者が、表示装置に表示された領域の変化を確認でき、誤認するような状況を避けることができる。また、領域の視野範囲を段階的に変化させなくても、運転者が表示装置に表示された領域の変化を確認できるため、安全確認に遅延が生じることを避けることができる。
【０１５４】
また、この構成では、例えば、ウインカレバー１４の操作等の運転者の操作に連動して視線誘導処理を実行するため、運転者が視線誘導処理を他の警告と誤認することを避けることができる。
【０１５５】
例えば、視線を誘導する構成として、車両の走行中に衝突リスクのある物体の接近を検知した場合に、物体が接近する方向のサイドミラー等の近傍に設置したＬＥＤを点滅させる構成が挙げられる。この構成では、衝突リスクがあることを優先して伝えるために、否応無しに視線を引きつける異常を感じさせるような光刺激が運転者に与えられる。
【０１５６】
例えば、前方の近い位置に先行車が存在する車線を走行中に、運転者が車線変更を行う場合に、運転者は、ウインカレバー１４を操作し、車線変更の意思を周囲に示し、前方を確認した後で後方および側後方を確認する。
【０１５７】
このような車線変更の状況において、例えば、上述したような異常を感じさせるような光刺激が運転者に与えられる構成を適用すると、運転者が光刺激を煩わしいと感じてしまう場合がある。
【０１５８】
一方で、本実施の形態によれば、運転者の操作に連動して視線誘導処理を実行するため、運転者が視線誘導処理を煩わしいと感じること無く直感的に把握でき、運転者が他の警告と誤認することを避けることができる。
【０１５９】
例えば、視線を誘導する処理として、拡大視野の表示の外枠をアニメーション表示により連続的に拡大又は縮小するような処理をディスプレイに対して行った場合、その処理過程が完了するまで、拡大視野の全体を確認する事が出来ず、余分な時間を要する恐れがある。
【０１６０】
本実施の形態では、視線誘導処理において、拡大視野の表示をディスプレイの表示領域全体に表示させ、拡大視野の中に視認性に差を与える、または、枠を設けるといった、カメラ映像を隠さない表示を行う。この処理では、表示領域内のカメラ映像を隠さないため、運転者は、拡大視野の表示を遅滞なく視認できる。
【０１６１】
また、例えば、視認性に差を設けて視線を誘導する処理として、拡大視野の一部を目立たなくなくして通常視野を表示する処理を行う場合、拡大視野と通常視野とを同じ倍率で表示するので、目立たなくなくする処理を止めれば拡大視野の全体を確認する事が出来る。しかしながら、この処理では、通常視野を表示するために拡大視野の一部を制限している時に、ディスプレイの表示領域のサイズに比べて、著しく狭い範囲が使用されるため、小さな画像しか表示できない。そのため、小さな画像に映る通常視野の中の後方車両の像も小さくなってしまい、視認性が劣ってしまう。
【０１６２】
また、本実施の形態では、通常視野を表示する場合には倍率を上げて表示するため、通常視野の視認性が劣化することを防止できる。また、視線誘導処理において、表示を隠さない表示を行うため、運転者は、拡大視野の表示を遅滞なく視認できる。
【０１６３】
（一実施の形態のバリエーション）
＜視野範囲拡大のキャンセル処理＞
なお、上述した例では、運転者の第１の動作が検知部１０１によって検知された場合、処理部１０２は、右サイドディスプレイ１７に表示させる映像の領域を第１の領域から第２の領域へ変更する視野範囲拡大処理の例を説明した。次に、視野範囲拡大処理と、右サイドディスプレイ１７に表示させる映像の領域を第２の領域から第１の領域へ変更する処理とが、運転者の操作、または、動作等に応じて切替えられる例について説明する。第２の領域から第１の領域へ変更する処理は、視野範囲の拡大をキャンセルする処理（以下、キャンセル処理）と捉えてよい。
【０１６４】
図１０は、本実施の形態におけるウインカレバー１４の構造の一例を示す図である。図１０には、ウインカレバー１４が固定される３つの位置と、ウインカレバー１４の可動範囲との関係とが示される。
【０１６５】
上述したように、ウインカレバー１４は、中立位置、右クリック位置、および、左クリック位置のいずれかの位置に止まる。
【０１６６】
ウインカレバー１４の傾動する角度、および／または、トルクは、センサにより検出され、コントローラ１０に出力されてよい。
【０１６７】
例えば、ウインカレバー１４が右クリック位置よりも右回りに押される場合、ウインカレバー１４が有するバネ機構（図示省略）は、ウインカレバー１４を右クリック位置に戻すように動作する。ウインカレバー１４の角度は、運転者によって加えられる力とバネの反発力によって決定されるので、角度からトルクが検知される。なお、ウインカレバー１４が右クリック位置よりも右回りに深く押された状態は、以下では、右回りへ深押しされた状態と記載することがある。
【０１６８】
なお、角度を検出する代わりに、ウインカレバー１４の位置と、ウインカレバー１４の感圧センサによって直接検出されるトルクが、コントローラ１０に出力されてもよい。
【０１６９】
コントローラ１０の検知部１０１は、ウインカレバー１４の操作の情報（例えば、ウインカレバー１４の位置、角度およびトルクの少なくとも１つ）に基づいて、運転者の意思を推定する。ここで、運転者の意思とは、例えば、運転者が、車両の周辺のどの領域を確認したいか、という意思であってもよい。
【０１７０】
例えば、ウインカレバー１４が、中立位置から右クリック位置に変更された場合、検知部１０１は、運転者が右側後方の拡大視野の領域を確認したい、と推定する。
【０１７１】
また、例えば、ウインカレバー１４の角度が、右クリック位置から更に右回りの角度に変更され、その状態が所定時間以上継続した場合、検知部１０１は、運転者が右側後方の拡大視野の領域の表示をキャンセルしたい、と推定する。別言すれば、この場合、検知部１０１は、運転者が右後方の通常視野の領域を確認したい、と推定する。
【０１７２】
ここで、上述の所定時間は、例えば、０．３秒であってよい。０．３秒は、人の反応時間に対応する。例えば、人が右クリック位置でのクリックを感じてからウインカレバー１４を押す動作を止めるまでの反応時間が０．３秒程度である。つまり、ウインカレバー１４の角度が、右クリック位置から更に右回りの角度に変更され、その状態が０．３秒以上継続した場合とは、人が、右クリック位置でのクリックを感じてからウインカレバー１４を押す動作を意図的に行っている場合である、と推定される。
【０１７３】
また、例えば、ウインカレバー１４が、中立位置から右クリック位置に止まらずに通過し、更に右回りの角度に移動した状態で留まった場合、検知部１０１は、運転者がウインカランプを点滅させた状態で右後方の通常視野の領域を確認したい、と推定する。
【０１７４】
そして、例えば、運転者が右側後方の拡大視野の領域を確認したい場合、ウインカレバー１４から手を離すことによって、ウインカレバー１４は、右クリック位置に戻り、右サイドディスプレイ１７には、右側後方の拡大視野の領域（例えば、図２Ｂに示した表示）が表示される。
【０１７５】
図１１は、本実施の形態におけるウインカレバー１４の操作と右サイドディスプレイ１７の表示との関係の一例を示す図である。
【０１７６】
図１１において、ウインカレバー１４が中立位置の場合、図２Ａに示した例と同様の通常視野が右サイドディスプレイ１７に表示される。
【０１７７】
運転者がウインカレバー１４を右に倒し、ウインカレバー１４が中立位置から右クリック位置に移動した場合、図２Ｂに示した例と同様の拡大視野が右サイドディスプレイ１７に表示される。この状態で、運転者がウインカレバー１４を中立位置に戻した場合、あるいは、運転者の別の操作（例えば、ステアリングホイールの操作）によってウインカレバー１４が中立位置に戻った場合、右サイドディスプレイ１７の表示は通常視野に戻る。
【０１７８】
また、拡大視野が表示された後、運転者がウインカレバー１４を右回りに深押しした場合、右回りに深押ししている間、図２Ａに示した例と同様の通常視野が右サイドディスプレイ１７に表示される。また、右回りに深押しした状態から運転者が手を離すと、ウインカレバーが中立位置へ戻り、右サイドディスプレイ１７の表示が、通常視野から拡大視野へ戻る。
【０１７９】
また、運転者がウインカレバー１４を右に倒し、更に右回りに深押しした場合、右回りに深押ししている間、右サイドディスプレイ１７の表示は、拡大視野へ変更されることなく、通常視野を維持する。また、右回りに深押しした状態から運転者が手を離すと、ウインカレバーが中立位置へ戻り、右サイドディスプレイ１７の表示が、通常視野から拡大視野へ戻る。
【０１８０】
なお、上述では、ウインカレバー１４の位置が右クリック位置である場合、右サイドディスプレイ１７に拡大視野が表示され、ウインカレバー１４の位置が右回りに深押しされた位置にある場合、右サイドディスプレイ１７に通常視野が表示される例を説明した。別言すれば、右クリック位置へ移動する操作が視野範囲拡大処理を行うための操作に対応し、右回りへ深押しする操作が視野範囲拡大処理をキャンセルするための操作に対応する。
【０１８１】
しかしながら、本開示はこれに限定されない。例えば、ウインカレバー１４の位置が右クリック位置である場合、通常視野が表示され、ウインカレバー１４の位置が右クリック位置から右回りに深押しされた位置にある場合、拡大視野が表示されてもよい。別言すれば、右回りへ深押しする操作が視野範囲拡大処理を行うための操作に対応し、右クリック位置へ移動させる操作が視野範囲拡大処理をキャンセルするための操作に対応してもよい。
【０１８２】
上述したウインカレバー１４の操作とディスプレイの表示処理との対応関係が、例えば、ユーザ（運転者）によって選択できてもよい。例えば、運転者は、右回りへの深押しする操作と右クリック位置へ移動する操作という２つの操作のうち、一方の操作を視野範囲拡大処理を行うための操作に選択し、他方の操作を視野範囲拡大処理をキャンセルするための操作に選択してもよい。この選択は、例えば、車室内に設けられるタッチパネルまたはボタン等の操作部を介して行われてよい。
【０１８３】
なお、上述では、視野範囲拡大処理をキャンセルするための操作が、右回りへの深押しする操作または右クリック位置へ移動する操作である例を説明した。本開示はこれに限られない。例えば、視野範囲拡大処理をキャンセルする処理は、車両に設けられる各種センサの情報に応じて実行されてよい。
【０１８４】
例えば、車室内で運転者の頭の位置および／または動きを検出するセンサが設けられる場合、コントローラ１０は、運転者の頭の位置に応じて、視野範囲拡大処理をキャンセルしてよい。例えば、コントローラ１０の検知部１０１が、運転者が頭を振る（または頭の位置を変える）動作を検知した場合、処理部１０２は、視野範囲拡大処理をキャンセルしてよい。具体的には、運転者が視野範囲拡大処理の実行中（拡大視野が表示されている間）にディスプレイの方向に頭を動かした場合に、コントローラ１０は、運転者が視野範囲拡大処理の実行によって小さくなった後方映像部分を確認したいものと推定し、視野範囲拡大処理をキャンセルして後方映像部分を拡大しても良い。
【０１８５】
また、ステアリングホイールに感圧センサが設けられる場合、コントローラ１０は、ステアリングホイールに対する運転者の操作に応じて、視野範囲拡大処理をキャンセルしてよい。例えば、コントローラ１０の検知部１０１が、ステアリングホイールの所定位置において力が加わっていること検知した場合、処理部１０２は、視野範囲拡大処理をキャンセルしてよい。これにより、例えば、運転者がステアリングホイールの所定位置を強く握る、または、所定位置を押すことによって、視野範囲拡大処理をキャンセルできる。
【０１８６】
また、図１０および図１１では、ウインカレバー１４の操作の情報に応じて視野範囲拡大処理、または、視野範囲拡大処理をキャンセルする処理が行われる例を説明した。本開示はこれに限定されない。例えば、コントローラ１０は、ウインカレバー１４の操作に応じて表示する視野の方向を変更する処理を行ってもよい。
【０１８７】
例えば、コントローラ１０は、ウインカレバー１４の深押しのトルク等に応じて、視野の方向を変更してよい。例えば、検知部１０１は、ウインカレバー１４の深押しのトルクを検知し、処理部１０２は、ウインカレバー１４の深押しのトルク（または角度）に応じた方向の視野範囲を、通常視野と同じ倍率で表示してよい。
【０１８８】
図１２は、車両が合流地点付近を走行中の場合の視野範囲の変更の一例を示す図である。図１２には、本線車線と、本線車線に合流する車両が走行する車線（以下、合流車線）とが交わる合流地点において、合流車線から本線車線へ合流する車両の俯瞰図が示される。そして、ウインカレバー１４の操作状態と、右サイドディスプレイ１７に表示される視野範囲との関係が示される。
【０１８９】
図１２のＡでは、運転者がウインカレバー１４を操作していない状態、すなわち、ウインカレバー１４が中立位置にある状態なので、右サイドディスプレイ１７には通常視野が表示される。
【０１９０】
図１２のＡからＢにおいて、運転者は、右側の本線車線へ合流することを合図するためにウインカレバー１４を右に倒し、右のウインカランプを点滅させる。
【０１９１】
図１２のＢでは、ウインカレバー１４が右クリック位置に移動した場合に相当する。この場合、右サイドディスプレイ１７には拡大視野が表示される。
【０１９２】
図１２のＢからＣにおいて、運転者は、右側の本線車線の状況を確認するために、ウインカレバー１４を右に押込む（右回りに深押しする）。検知部１０１は、ウインカレバー１４の深押しのトルク（または角度）を検知する。処理部１０２は、検知されたトルク（または角度）に応じて、視野の方向を変更する。
【０１９３】
図１２のＣでは、ウインカレバー１４が右クリック位置から右回りに深押しされた場合に相当する。この場合、右サイドディスプレイ１７には、深押しのトルク（または角度）に応じて変更された、通常視野の範囲（図１２のＡ）よりも外側の方向の視野範囲が、通常視野と同じ倍率で表示される。
【０１９４】
処理部１０２は、深押しのトルクが大きいほど、車両の側面から、より離れた方向の視野範囲をディスプレイに表示させてもよい。
【０１９５】
このように、コントローラ１０が、ウインカレバー１４の深押しのトルク（または角度）に応じて、ディスプレイに表示させる視野の方向を変更することによって、運転者が車両の周辺の状況を効率良く確認できる。
【０１９６】
なお、コントローラ１０は、ウインカレバー１４の深押しのトルク（または角度）の代わりに、他の運転者の操作または動作に応じて、ディスプレイに表示させる視野の方向を変更してもよい。
【０１９７】
例えば、車室内で運転者の頭の位置または視線の方向を検出するセンサが設けられる場合、コントローラ１０は、運転者の頭の位置または視線の方向に応じて、ディスプレイに表示させる視野の方向を変更してもよい。例えば、コントローラ１０の検知部１０１が、運転者が頭を振る（または、頭の位置を変える、あるいは、視線の方向を変える）角度を検知した場合、処理部１０２は、頭を振る角度に応じて、ディスプレイに表示させる視野の方向を変更してもよい。例えば、処理部１０２は、頭を振る角度が大きいほど、車両の側面から、より離れた方向の視野範囲をディスプレイに表示させてもよい。運転者がサイドミラーによって周囲の確認を行う場合、運転者が頭の位置を変える事によってサイドミラーに写る範囲を変えられる。運転者がサイドミラーの代わりにディスプレイによって周囲の確認を行う場合も、コントローラ１０が頭の位置の変化に応じて視野範囲を制御する事は、運転者にとって自然な制御であると言える。具体的には、コントローラ１０は、運転者が頭の位置を左に移動させたことを検知した場合には右寄りの方向が見たいものと推定して、表示する視野の方向を右寄りに変更すればよい。または、運転者の視線の方向を検出して、ディスプレイ右寄りの範囲を注視していた場合に、右寄りの方向が見たいものと推定して、表示する視野の方向を右寄りに変更する制御を行ってもよい。
【０１９８】
また、ステアリングホイールに感圧センサが設けられる場合、コントローラ１０は、ステアリングホイールに対する運転者の操作に応じて、ディスプレイに表示させる視野の方向を変更してもよい。例えば、コントローラ１０の検知部１０１が、ステアリングホイールの所定位置において力が加わっていることを検知した場合、処理部１０２は、所定位置における力の大きさに応じて、ディスプレイに表示させる視野の方向を変更してもよい。例えば、処理部１０２は、所定位置における力が大きいほど、車両の側面から、より離れた方向の視野範囲をディスプレイに表示させてもよい。これにより、例えば、運転者がステアリングホイールの所定位置を強く握る、または、所定位置を押すことによって、ディスプレイに表示させる視野の方向を変更してもよい。
【０１９９】
なお、ウインカレバー１４の深押しのトルクに応じて視野の方向を変更する機能（以下、視野方向変更機能と記載することがある）を有効にするか否か（オンにするかオフにするか）は、ユーザ（例えば、運転者）によって設定可能であってよい。あるいは、視野方向変更機能を有効にするか否かは、他の情報に基づいて設定されてもよい。具体的には、ナビゲーション装置によって得られる地図情報と、地図上の自車の位置によって視野方向変更機能を有効にするか否かを変えてもよい。
【０２００】
例えば、図１２に示したように、合流地点においては、運転者が周辺の状況を確認する上で、視野方向変更機能が使用されたほうが効果的な場所に相当する。
【０２０１】
例えば、コントローラ１０の処理部１０２は、車両の位置情報および地図情報を含むナビゲーション情報に基づいて、視野方向変更機能が使用された方が効果的な場所（例えば、合流地点）に車両が存在するか否かを判断してもよい。そして、処理部１０２は、視野方向変更機能が使用された方が効果的な場所に車両が存在する場合に、視野方向変更機能をオンに設定してもよい。
【０２０２】
また、縦列駐車していた車両が発進し、隣接する車線に合流する場合、または、駐車場に駐車していた車両が発進し、車線に合流する場合、運転者が周辺の状況を確認する上で、視野方向変更機能が使用された方が効果的である。例えば、この場合、車両は停止中から低速で走行（例えば、徐行）しながら、車線に合流するので、車両の速度情報に応じて視野方向変更機能の設定を最適化してもよい。
【０２０３】
例えば、コントローラ１０の処理部１０２は、車両の速度情報を参照し、車両が停車中または徐行中である場合に、視野方向変更機能をオンに設定してもよい。例えば、処理部１０２は、車両の速度が所定値（例えば、時速５ｋｍ）未満の場合に、視野方向変更機能をオンに設定し、車両の速度が所定値以上の場合に、視野方向変更機能をオフに設定してもよい。
【０２０４】
また、処理部１０２は、車両の速度情報、ナビゲーション情報、および、車両の姿勢を検知する方位センサ（磁気コンパス）の情報に基づいて、視野方向変更機能を有効にするか否かを設定してもよい。
【０２０５】
例えば、縦列駐車中の車両が発進し、隣接する車線に合流する場合、または、駐車場に駐車していた車両が発進し、車線に合流する場合、車両の向きが車線の延びる方向に対して所定角度以上の角度を成す状態をとる事がある。その場合、処理部１０２は、車両が低速で走行し、車線に対する車両の角度が所定角度以上の場合に、視野方向変更機能をオンに設定してもよい。処理部１０２は、例えば、車両の速度と閾値とを比較することによって、車両が低速か否かを判断する。また、処理部１０２は、ナビゲーション情報が示す隣接車線の延びる方向と方位センサの検知結果が示す車両の向きとを比較することによって、車線に対する車両の角度が所定角度以上か否かを判断する。
【０２０６】
以上の様に、視野方向変更機能のオンまたはオフが、地図情報など他の情報に基づいて設定されることによって、視野方向変更機能を使用すべき状況において視野方向変更機能を有効に活用することができる。
【０２０７】
視野方向変更機能は、ディスプレイを覗き込む動作を誘発するため、前方から視線を離す時間が長くなる可能性がある。また、視野方向変更機能は、通常視野の確認を妨げる可能性がある。そのため、例えば、高速走行中などでは、視野方向変更機能が有効でないことが望ましいので、コントローラ１０の処理部１０２は、車両の速度情報を参照し、車両が高速走行中の時に視野方向変更機能をオフに設定してもよい。
【０２０８】
上述したように、視野方向変更機能のオンまたはオフが、他の情報に基づいて設定されることによって、視野方向変更機能が不要な状況（例えば、高速走行中）において視野方向変更機能が動作することを防止できる。
【０２０９】
なお、視野方向変更機能では、ウインカレバー１４の深押しのトルク（または角度）の大きさに応じて、ディスプレイに表示させる視野の方向を変更する例を説明したが、視野の方向が他の情報に基づいて決定されてもよい。
【０２１０】
例えば、図１２に示したような合流地点において、映像処理の結果に基づいて、視野の方向が決定されてもよい。
【０２１１】
例えば、検知部１０１は、車両の現在位置と車両が走行する周辺の道路状況を示すナビゲーション情報を取得し、車両が合流地点付近を走行中か否かを検知する。
【０２１２】
車両が合流地点付近を走行中の場合、処理部１０２は、ウインカレバー１４の操作の情報に応じて、表示を変更する。
【０２１３】
例えば、コントローラ１０の検知部１０１は、車線の消失点（または無限遠点）を検出し、検出した消失点の位置に応じて、視野範囲が変更されてもよい。
【０２１４】
例えば、検知部１０１は、左サイドカメラ１１および／または右サイドカメラ１２が取得した映像に映る１つの車線の境界線の複数の直線（または近似直線）を検出し、検出した直線を後方に延長する。検知部１０１は、延長した複数の直線が交差する点を当該車線の消失点と決定する。
【０２１５】
例えば、車両が本線に合流する合流車線の合流地点付近を走行している場合、本線車線と合流車線とが映像に含まれる。この場合、検知部１０１は、少なくとも、本線車線の消失点を検出する。
【０２１６】
そして、処理部１０２は、ウインカレバー１４が深押しされた場合、深押しされた方向に対応する方向に延びる本線車線の消失点の方向の視野範囲を、通常視野と同じ倍率で表示してよい。
【０２１７】
図１３は、道路の合流地点における右サイドカメラ１２が撮影した映像の一例を示す図である。図１３には、合流車線と、合流車線よりも右側に延びる本線車線が含まれる。
【０２１８】
検知部１０１は、右サイドカメラ１２が撮影した映像から、合流車線の消失点と本線車線の両方の消失点を検出する。そして、処理部１０２は、ウインカレバー１４が右回りに深押しされた場合、検知部１０１が検知した本線車線の消失点の方向を通常視野と同じ倍率で表示してよい。
【０２１９】
図１３を用いて説明したように、合流地点において、ウインカレバー１４の操作の情報、および／または、映像から得られる消失点の情報に応じて、視野の方向を変更することにより、合流地点における安全確認を支援できる。
【０２２０】
例えば、合流地点での合流では、本線車線を走行する車両との距離感が、安全確認の上で必要とされる。そのため、ウインカレバー１４の操作に応じて、拡大視野と本線車線を確認できる方向の視野とを切替えられることによって、効果的な表示を行うことができる。
【０２２１】
なお、上述した視野範囲拡大処理、視野範囲拡大処理をキャンセルする処理、および、視野方向変更機能に基づく処理は、ウインカレバー１４の操作に限らず、運転者の他の操作、または、運転者の他の動作と連動して実行されてよい。
【０２２２】
例えば、車線変更を行う状況において、検知部１０１が、ウインカレバー１４が右クリック位置に移動したことを検知した場合、処理部１０２は、右サイドディスプレイ１７の表示に対して視野範囲拡大処理を実行する。そして、検知部１０１が、運転者がステアリングホイールを引っ張る動作を行ったことを検知した場合、処理部１０２は、右サイドディスプレイ１７の表示に対する視野範囲拡大処理をキャンセルする。この場合、運転者がステアリングホイールを引っ張る動作は、運転者が車両後方を詳細に確認したいという意図を示す動作に相当してよい。運転者がディスプレイを覗き込もうとして頭をディスプレイに近づける動作をすると、それはステアリングホイールを手元に引き付ける動作となるので、ステアリングホイールに加えられた前後方向の力による制御は、視野範囲の制御手段として自然であり受け入れ易い。
【０２２３】
例えば、図１２および図１３に示したような合流地点において、検知部１０１が、ウインカレバー１４が右クリック位置に移動したことを検知した場合、処理部１０２は、右サイドディスプレイ１７の表示に対して視野範囲拡大処理を実行する。そして、検知部１０１が、運転者がステアリングホイールを押す動作を行ったことを検知した場合、処理部１０２は、右サイドディスプレイ１７に表示させる視野の方向を変更する。例えば、処理部１０２は、ステアリングホイールに加えられる力の大きさに応じて、車両後方から離れた方向に変更してよい。あるいは、処理部１０２は、車両後方から離れた外側の消失点の方向に変更してよい。車両後方から離れた外側の消失点とは、例えば、図１３における本線車線の消失点に相当する。また、この場合、運転者がステアリングホイールを押す動作は、運転者が本線車線を確認したいという意図を示す動作に相当してよい。頭を後方に引く動作は、覗き込む動作とは逆に広い視野を得ようとする動作であり、それはステアリングホイールを押す動作となるので、ステアリングホイールに加えられた前後方向の力による制御は、視野範囲の制御手段として自然であり受け入れ易い。
【０２２４】
また、例えば、車線変更を行う状況において、検知部１０１が、ウインカレバー１４が右クリック位置に移動したことを検知した場合、処理部１０２は、右サイドディスプレイ１７の表示に対して視野範囲拡大処理を実行する。そして、検知部１０１が、運転者の顔が右サイドディスプレイ１７に近づいたことを検知した場合、処理部１０２は、右サイドディスプレイ１７の表示に対する視野範囲拡大処理をキャンセルする。この場合、運転者が顔を右サイドディスプレイ１７に近づける動作は、運転者が車両後方を詳細に確認したいという意図を示す動作に相当してよい。
【０２２５】
例えば、図１２および図１３に示したような合流地点において、検知部１０１が、ウインカレバー１４が右クリック位置に移動したことを検知した場合、処理部１０２は、右サイドディスプレイ１７の表示に対して視野範囲拡大処理を実行する。そして、検知部１０１が、右側の本線に合流する位置で、運転者が顔の向きを大きく右に振ったことを検知した場合、処理部１０２は、右サイドディスプレイ１７に表示させる視野の方向を本線の消失点の方向に変更する。あるいは、処理部１０２は、検知部１０１が検知する運転者の顔の傾きに応じて、表示する視野の方向を変更してよい。
【０２２６】
以上、説明したように、拡大視野が表示されている場合に、ウインカが作動している状態のままその視野範囲拡大をキャンセルする処理を実行できることによって、運転者は、運転者が求める視野を適切に把握することができる。
【０２２７】
車線変更時に、拡大視野の表示により、側後方を確認できることは効果的である。例えば、片側３車線の道路で中央の車線に右側の車線から車線変更を行う場合、他の車両が左側の車線から中央の車線に車線変更する状況がある。このような状況では、通常視野では左側の車線の他の車両が映らないため、拡大視野の表示が効果的である。
【０２２８】
また、車線変更の途中で急接近する車両または道路上の落下物を発見し、急なステアリングホイール操作によって、車線変更を中断せざるを得ない状況がある。このような状況において、拡大視野を表示させるための手動操作（例えば、ウインカレバーを触れている操作）を継続することは好ましくない。
【０２２９】
つまり、車線変更中でウインカが作動している間、ウインカレバー１４に触れていない状態でも、視野範囲拡大処理が継続していることが望ましい。
【０２３０】
また、例えば、道路交通法では、車線変更の開始の３秒前からウインカを作動させることが求められる。ウインカを作動し始めてから３秒の間に、後方から急接近する車両が現れる状況がある。そのような状況においては、ウインカを作動させて３秒程度経過してから、車線変更を開始する前に、後方および後側方を再確認することが望まれる。
【０２３１】
また、後続車両の距離感を把握し易い視野範囲は、通常視野であるため、後方を再確認する場合は、視野範囲を通常視野に変更できることが望まれる。
【０２３２】
例えば、ウインカが作動している状態のまま視野範囲拡大をキャンセルする処理が実行できない場合、通常視野に変更するために、ウインカ作動を一旦停止しなければならないことがある。しかしながら、道路交通法では、車線変更が終了するまでの間、ウインカを作動させ続けることが求められている。また、ウインカ作動を一旦停止した場合、車線変更を中止したと周囲の車両の運転者に判断されてしまう。そのため、ウインカ作動を一旦停止し、通常視野の表示によって後方を確認した後、ウインカを再び作動させ、３秒経過する前に、車線変更を行うと、法令を違反することになり、車線変更を中止したと見なした周囲の車両との不慮の接触を招く可能性がある。
【０２３３】
つまり、ウインカが作動している状態を維持しながら、後方を確認するための通常視野の表示と、後側方を確認するための拡大視野の表示とが切替えられることが望まれる。
【０２３４】
上述した構成によれば、ウインカが作動している状態を維持しながら、後方を確認するための通常視野の表示と、後側方を確認するための拡大視野の表示とが切替えることができる。
【０２３５】
図１４は、本実施の形態におけるウインカレバー１４の操作に応じた表示処理の一例を示すフローチャートである。なお、図１４に示すフローチャートは、コントローラ１０が、右サイドディスプレイ１７の表示についての処理を行う例を示している。コントローラ１０が左サイドディスプレイ１６の表示についての処理を行うフローチャートは、左右の向きが異なる点を除き、図１４と同様である。
【０２３６】
また、図１４に示すフローチャートは、視線誘導処理が、右サイドディスプレイ１７のＬＥＤ１７１を点灯させる処理である例を示している。
【０２３７】
検知部１０１がウインカレバー１４の中立位置を検知する（Ｓ１０１）。
【０２３８】
処理部１０２は、右サイドディスプレイ１７に通常視野の領域を表示させ、ＬＥＤ１７１をオフの状態（消灯状態）に制御する（Ｓ１０２）。
【０２３９】
検知部１０１は、ウインカレバー１４が右回りに感圧された状態であるか否かを検知する（Ｓ１０３）。右回りに感圧された状態とは、ウインカレバー１４が中立位置と右クリック位置の間に位置する状態が一定時間（例えば、０．１秒）未満の状態であり、半押し状態と称されてよい。あるいは、右回りに感圧された状態とは、ウインカレバー１４の左側からの力が検知された状態であってもよい。
【０２４０】
ウインカレバー１４が右回りに感圧された状態ではない場合（Ｓ１０３にてＮＯ）、Ｓ１０３の処理が実行される。
【０２４１】
ウインカレバー１４が右回りに感圧された状態である場合（Ｓ１０３にてＹＥＳ）、処理部１０２は、右サイドディスプレイ１７に通常視野の領域を表示させ、ＬＥＤ１７１をオンの状態にする（点灯させる）（Ｓ１０４）。Ｓ１０４にて、ＬＥＤ１７１をオンの状態にする処理は、視線誘導処理の一例に相当する。
【０２４２】
検知部１０１は、ウインカレバー１４が右クリック位置に移動したか否かを検知する（Ｓ１０５）。
【０２４３】
ウインカレバー１４が右クリック位置に移動していない場合（Ｓ１０５にてＮＯ）、検知部１０１は、右回りに感圧された状態であるか否かを検知する（Ｓ１０６）。
【０２４４】
右回りに感圧された状態ではない場合（Ｓ１０６にてＮＯ）、Ｓ１０２の処理が実行される。
【０２４５】
右回りに感圧された状態である場合（Ｓ１０６にてＹＥＳ）、検知部１０１は、その状態が所定時間（例えば、０．１秒）継続したか否かを検知する（Ｓ１０７）。
【０２４６】
右回りに感圧された状態が所定時間継続しなかった場合（Ｓ１０７にてＮＯ）、フローは、Ｓ１０４の処理が実行される。
【０２４７】
右回りに感圧された状態が所定時間継続した場合（Ｓ１０７にてＹＥＳ）、処理部１０２は、右サイドディスプレイ１７に拡大視野を表示させ、ＬＥＤ１７１をオンの状態にする（点灯させる）（Ｓ１０８）。Ｓ１０８にて、右サイドディスプレイ１７に拡大視野を表示させる処理は、視野範囲拡大処理の一例に相当し、ＬＥＤ１７１をオンの状態にする処理は、視線誘導処理の一例に相当する。そして、Ｓ１０５の処理が実行される。
【０２４８】
ウインカレバー１４が右クリック位置に移動した場合（Ｓ１０５にてＹＥＳ）、検知部１０１は、右サイドディスプレイ１７に拡大視野を表示するか否かを判定する（Ｓ１０９）。例えば、検知部１０１は、右クリック位置に移動してから右回りへ押される状態が所定時間（例えば、０．３秒）未満の場合、右サイドディスプレイ１７に拡大視野を表示すると判定する。検知部１０１は、右クリック位置に移動してから右回りへ押される状態が所定時間（例えば、０．３秒）以上の場合、右サイドディスプレイ１７に拡大視野を表示しないと判定する。
【０２４９】
右サイドディスプレイ１７に拡大視野を表示する場合（Ｓ１０９にてＹＥＳ）、処理部１０２は、右サイドディスプレイ１７に拡大視野を表示させ、ＬＥＤ１７１をオンの状態にする（点灯させる）（Ｓ１１０）。
【０２５０】
検知部１０１は、ウインカレバー１４が中立位置であるか否かを検知する（Ｓ１１１）。
【０２５１】
ウインカレバー１４が中立位置である場合（Ｓ１１１にてＹＥＳ）、Ｓ１０２の処理が実行される。
【０２５２】
ウインカレバー１４が中立位置ではない場合（Ｓ１１１にてＮＯ）、すなわち、ウインカレバー１４が右クリック位置にある場合、検知部１０１は、右回りに感圧された状態であるか否かを検知する（Ｓ１１２）。
【０２５３】
右回りに感圧された状態ではない場合（Ｓ１１２にてＮＯ）、Ｓ１１０の処理が実行される。
【０２５４】
右回りに感圧された状態である場合（Ｓ１１２にてＹＥＳ）、すなわち、右クリック位置から右回りに深押しされた状態である場合、検知部１０１は、その状態が所定時間（例えば、０．３秒）継続したか否かを検知する（Ｓ１１３）。
【０２５５】
右回りに感圧された状態が所定時間継続しなかった場合（Ｓ１１３にてＮＯ）、Ｓ１１０の処理が実行される。
【０２５６】
右回りに感圧された状態が所定時間継続した場合（Ｓ１１３にてＹＥＳ）、処理部１０２は、右サイドディスプレイ１７に通常視野を表示させ、ＬＥＤ１７１をオフの状態にする（消灯させる）（Ｓ１１４）。Ｓ１１４にて、通常視野を表示させる処理は、Ｓ１１０にて表示した拡大視野をキャンセルする処理の一例に相当する。そして、Ｓ１１１の処理が実行される。
【０２５７】
右サイドディスプレイ１７に拡大視野を表示しない場合（Ｓ１０９にてＮＯ）、処理部１０２は、右サイドディスプレイ１７に通常視野を表示させ、ＬＥＤ１７１をオフの状態にする（消灯させる）（Ｓ１１５）。
【０２５８】
検知部１０１は、ウインカレバー１４が中立位置であるか否かを検知する（Ｓ１１６）。
【０２５９】
ウインカレバー１４が中立位置である場合（Ｓ１１６にてＹＥＳ）、Ｓ１０２の処理が実行される。
【０２６０】
ウインカレバー１４が中立位置ではない場合（Ｓ１１６にてＮＯ）、すなわち、ウインカレバー１４が右クリック位置にある場合、検知部１０１は、右回りに感圧された状態であるか否かを検知する（Ｓ１１７）。
【０２６１】
右回りに感圧された状態である場合（Ｓ１１７にてＹＥＳ）、すなわち、ウインカレバー１４が右クリック位置から右回りに深押しされた状態である場合、Ｓ１１５の処理が実行される。
【０２６２】
右回りに感圧された状態ではない場合（Ｓ１１７にてＮＯ）、検知部１０１は、その状態が所定時間（例えば、０．１秒）継続したか否かを検知する（Ｓ１１８）。
【０２６３】
右回りに感圧されていない状態が所定時間継続した場合（Ｓ１１８にてＹＥＳ）、Ｓ１１０の処理が実行される。
【０２６４】
右回りに感圧されていない状態が所定時間継続しなかった場合（Ｓ１１８にてＮＯ）、処理部１０２は、右サイドディスプレイ１７に通常視野を表示させ、ＬＥＤ１７１をオフの状態にする（消灯させる）（Ｓ１１９）。そして、Ｓ１１６の処理が実行される。
【０２６５】
次に、２つの運転操作のシナリオとコントローラ１０における各処理の流れの例を説明する。
【０２６６】
＜運転操作と各処理の流れの第１のシナリオ＞
運転者は、先行する車両が遅いため、走行している車線の右側の車線へ車線変更を行う場合、運転者は、ウインカレバー１４を右クリック位置まで操作し、右側のウインカを作動させる。
【０２６７】
この場合、検知部１０１は、運転者がウインカレバー１４に触れたことを検知し、処理部１０２は、検知結果に基づいて、右サイドディスプレイ１７のＬＥＤ１７１を点滅させる視線誘導処理を行う。
【０２６８】
運転者は、ＬＥＤ１７１の点滅に誘導されて、右サイドディスプレイ１７に視線を向ける。
【０２６９】
処理部１０２は、右サイドディスプレイ１７の表示を拡大視野の表示に変更する視野範囲拡大処理を行う。そして、処理部１０２は、ＬＥＤ１７１の点滅状態を点灯状態へ変更する。また、処理部１０２は、視野範囲拡大を示す処理を行い、拡大視野の表示に動的エフェクトを与える。
【０２７０】
運転者は、拡大視野の表示によって右側後方の安全を確認した後、ウインカレバー１４を右クリック位置から右回りに深押しする。検知部１０１は、ウインカレバー１４の右回りの深押し状態を検知する。処理部１０２は、検知結果に基づいて、視野範囲拡大をキャンセルし、右サイドディスプレイ１７に通常視野を表示する。右サイドディスプレイ１７に通常視野を表示する場合、処理部１０２は、ＬＥＤ１７１を消灯し、視野範囲拡大を示すための動的エフェクトを停止する。なお、この状態において、右側のウインカは、作動した状態（ウインカランプが点滅した状態）である。
【０２７１】
運転者は、通常視野の表示によって右後方の安全を確認した後、ウインカレバー１４から手を離し、右回りの深押し状態を元に戻す。検知部１０１は、ウインカレバー１４の右回りの深押し状態がキャンセルされ、右クリック位置に戻ったことを検知する。処理部１０２は、検知結果に基づいて、右サイドディスプレイ１７の表示を通常視野から拡大視野の表示に変更する視野範囲拡大処理を行う。この場合、処理部１０２は、ＬＥＤ１７１を点灯させ、視野範囲拡大を示すための静的エフェクトを与える。なお、この状態において、右側のウインカは、作動した状態である。
【０２７２】
運転者は、ステアリングホイールを操作し、右側の車線への車線変更を開始する。その際、右サイドディスプレイ１７には、拡大視野が表示された状態であり、拡大視野の表示には、静的エフェクトが与えられている。また、ＬＥＤ１７１は点灯した状態である。この場合、検知部１０１は、ステアリングホイールの操舵角および、車幅方向の移動を検知していてもよい。
【０２７３】
運転者は、車線変更が完了したと判断した場合、ウインカレバー１４を中立位置に戻し、右側のウインカは、停止する。検知部１０１は、ウインカレバー１４が中立位置であることを検知する。処理部１０２は、検知結果に基づいて、右サイドディスプレイ１７の表示を拡大視野から通常視野の表示に変更する。また、処理部１０２は、検知結果に基づいて、ＬＥＤ１７１を消灯させる。
【０２７４】
＜運転操作と各処理の流れの第２のシナリオ＞
第２のシナリオは、例えば、運転者が右側後方に車両が存在しないことを確認済であり、素早く車線変更を行いたい場合のシナリオに相当する。
【０２７５】
運転者は、運転する車両が先行する車両に追いついてしまうために、走行している車線の右側の車線へ車線変更を行う場合、運転者は、ウインカレバー１４を操作し、右側のウインカを作動させる。
【０２７６】
運転者は、右側後方に車両が存在しないことを確認済であり、右サイドディスプレイ１７に拡大視野を表示させなくてもよい場合、右後方の確認を行うために、ウインカレバー１４を右クリック位置よりも右回りに深押しした位置に一気に（即時に）移動する。
【０２７７】
検知部１０１は、運転者がウインカレバー１４に触れたことを検知する。処理部１０２は、検知結果に基づいて、右サイドディスプレイ１７のＬＥＤ１７１を点灯させる視線誘導処理を行う。運転者は、ＬＥＤ１７１の点灯に誘導されて、右サイドディスプレイ１７に視線を向ける。
【０２７８】
検知部１０１は、運転者がウインカレバー１４に触れたことを検知した後、０．１秒以内に、ウインカレバー１４の右回りの深押し状態を検知する。処理部１０２は、検知結果に基づいて、点灯させたＬＥＤ１７１を即座に消灯させる。また、処理部１０２は、ウインカレバー１４の右回りの深押し状態という検知結果に基づいて、視野範囲拡大処理がスキップされ、右サイドディスプレイ１７に通常視野の表示を行う。なお、この状態において、右側のウインカは、作動した状態である。
【０２７９】
運転者は、通常視野の表示によって右後方の安全を確認した後、ウインカレバー１４から手を離し、右回りの深押し状態を元に戻す。検知部１０１は、ウインカレバー１４の右回りの深押し状態がキャンセルされ、右クリック位置に戻ったことを検知する。処理部１０２は、検知結果に基づいて、右サイドディスプレイ１７の表示を通常視野から拡大視野の表示に変更する視野範囲拡大処理を行う。この場合、処理部１０２は、ＬＥＤ１７１を点灯させ、視野範囲拡大を示すための静的エフェクトを与える。なお、この状態において、右側のウインカは、作動した状態である。この時、運転者は拡大視野の表示で右側の安全を確認して、車線変更の可否を判断できる。
【０２８０】
運転者は、ステアリングホイールを操作し、右側の車線への車線変更を開始する。その際、右サイドディスプレイ１７には、拡大視野が表示された状態であり、拡大視野の表示には、静的エフェクトが与えられている。また、ＬＥＤ１７１は点灯した状態である。この場合、検知部１０１は、ステアリングホイールの操舵角および、車幅方向の移動を検知していてもよい。
【０２８１】
運転者は、車線変更が完了したと判断した場合、ウインカレバー１４を中立位置に戻し、右側のウインカは、停止する。検知部１０１は、ウインカレバー１４が中立位置であることを検知する。処理部１０２は、検知結果に基づいて、右サイドディスプレイ１７の表示を拡大視野から通常視野の表示に変更する。また、処理部１０２は、検知結果に基づいて、ＬＥＤ１７１を消灯させる。
【０２８２】
上述したように、第１のシナリオでは、運転者が右側後方を確認するために、右サイドディスプレイ１７に拡大視野が表示され、運転者が右側後方を確認した後、通常視野に変更される。第２のシナリオでは、運転者が右側後方の確認を後回しにするため、右サイドディスプレイ１７における拡大視野の表示がスキップされている。このように、運転者が、どの領域を確認したいかという運転者の意図に基づいて、ウインカレバー１４を操作することによって、コントローラ１０は、運転者の意図に応じた表示を行うことができる。
【０２８３】
なお、上記実施の形態の無線部における「・・・部」という表記は、「・・・回路（circuitry）」、「・・・デバイス」、「・・・ユニット」、又は、「・・・モジュール」といった他の表記に置換されてもよい。
【０２８４】
また、上記実施の形態の説明に用いた各機能ブロックの一例である無線部は、典型的には集積回路であるＬＳＩとして実現される。集積回路は、上記実施の形態の説明に用いた各機能ブロックを制御し、入力と出力を備えてもよい。これらは個別に１チップ化されてもよいし、各機能ブロックの一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２８５】
また、集積回路化の手法にはＬＳＩに限らず、専用回路または汎用プロセッサを用いて実現してもよい。ＬＳＩ製造後に、プログラムすることが可能なＦＰＧＡ（Ｆｉｅｌｄ Ｐｒｏｇｒａｍｍａｂｌｅ Ｇａｔｅ Ａｒｒａｙ）、又は、ＬＳＩ内部の回路セルの接続、設定が再構成可能なリコンフィグラブル・プロセッサを利用してもよい。
【０２８６】
更には、半導体技術の進歩または派生する別技術によりＬＳＩに置き換わる集積回路化の技術が登場すれば、当然、別技術を用いて機能ブロックの集積化を行ってもよい。バイオ技術の適用等が可能性としてあり得る。
【０２８７】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施の形態における各構成要素を任意に組み合わせてもよい。
【０２８８】
以上、本開示の具体例を詳細に説明したが、これらは例示にすぎず、請求の範囲を限定するものではない。請求の範囲に記載の技術には、以上に例示した具体例を様々に変形、変更したものが含まれる。
【産業上の利用可能性】
【０２８９】
本開示は、車両の運転支援に好適である。
【符号の説明】
【０２９０】
１  制御システム
１０  制御装置（コントローラ）
１１  左サイドカメラ
１２  右サイドカメラ
１４  ウインカレバー
１６  左サイドディスプレイ
１７  右サイドディスプレイ
１０１  検知部
１０２  処理部
１６１、１７１  ＬＥＤ
１６２、１７２  スピーカー
【図１】
2020111082.tif 000003
【図２Ａ】
2020111082.tif 000004
【図２Ｂ】
2020111082.tif 000005
【図３Ａ】
2020111082.tif 000006
【図３Ｂ】
2020111082.tif 000007
【図３Ｃ】
2020111082.tif 000008
【図３Ｄ】
2020111082.tif 000009
【図４】
2020111082.tif 000010
【図５】
2020111082.tif 000011
【図６】
2020111082.tif 000012
【図７】
2020111082.tif 000013
【図８】
2020111082.tif 000014
【図９】
2020111082.tif 000015
【図１０】
2020111082.tif 000016
【図１１】
2020111082.tif 000017
【図１２】
2020111082.tif 000018
【図１３】
2020111082.tif 000019
【図１４】
2020111082.tif 000020